(57)【要約】【課題】化粧料容器本体内への化粧用部材の収納性を確保しつつ、収納部の軸線方向に対する位置関係を無段階に調整し、その位置で留めるものとして、簡易且つ正確に作業できるようにする。【解決手段】キャップ７内において固持する固持軸１０に形成される保持部１１先端と、該固持軸１０の貫通孔１０ｂ内を進退機構１２により進退自在となる進退軸１３先端とでブラシ体１４を保持するものとすることで、進退軸１３を固持軸１０内より突出又は収納させることで固持軸１０の軸線方向に対するブラシ体１４の位置関係を無段階に調整し、その位置で留めることができるので、化粧料容器本体内へ固持軸及びブラシ体を円滑、且つ容易に収納させつつ、マスカラを簡易且つ正確に塗布することができるものである。【選択図】図３
2013081661.tif 000002
【特許請求の範囲】
【請求項１】
収納部と、該収納部より突出、収納自在となる進退軸と、該収納部先端に形成される保持部と、化粧用部材とから構成され、
該収納部では、進退軸を内外へ突出、収納自在とする進退機構を内装し、
該進退軸では、その先端を折曲自在とし、
該保持部では、その先端を折曲自在とし、
該進退軸先端と、保持部先端とで化粧用部材を保持してなる
ことを特徴とする化粧用部材の可動機構。
【請求項２】
収納部と、該収納部に固持される中空の固持軸と、該固持軸より突出、収納自在となる進退軸と、該固持軸先端に形成される保持部と、化粧用部材とから構成され、
該収納部では、後述する進退軸を中空の固持軸内外へ突出、収納自在とする進退機構を内装し、
該進退軸では、その先端を折曲自在とし、
該保持部では、その先端を折曲自在とし、
該進退軸先端と、固持軸の保持部先端とで化粧用部材を保持してなる
ことを特徴とする化粧用部材の可動機構。
【請求項３】
上記保持部と進退軸とで保持される化粧用部材を、インサート成形により予め保持部及び進退軸とともに一体化させる
ことを特徴とする請求項１又は２記載の化粧用部材の可動機構。
【請求項４】
上記保持部と、進退軸と、及び該保持部と進退軸とで保持される化粧用部材とを一体成形する
ことを特徴とする請求項１又は２記載の化粧用部材の可動機構。
【請求項５】
上記化粧用部材を、別体の保持部及び進退軸とで回転自在となる軸着部を介して保持する
ことを特徴とする請求項１又は２記載の化粧用部材の可動機構。
【請求項６】
上記収納部又は固持軸先端に形成される保持部根元、保持部先端、及び進退軸先端に切り欠きを配設してなる
ことを特徴とする請求項１、２、３又は４のうちいずれか一つ記載の化粧用部材の可動機構。
【請求項７】
上記化粧用部材を、ブラシ体、ローラー体又は櫛体とする
ことを特徴とする請求項１、２、３、４、５又は６のうちいずれか一つ記載の化粧用部材の可動機構。
【発明の詳細な説明】
【技術分野】
【０００１】
本願発明は、被保持部材、例えばマスカラ等の液体化粧料、ファンデーション等の粉状化粧料、アイシャドウ等の固形化粧料（以下、「化粧料」という。）を塗布する他、マスカラの塗布前後において睫毛を梳かすブラシ体、ローラー体又は櫛体（以下、「化粧用部材」という。）に関する。
【背景技術】
【０００２】
例えば、マスカラを塗布するために使用する塗布具において、蓋本体と一体となる塗布軸の先端において、該塗布軸の軸線方向に沿って化粧用部材に相当する塗布ブラシが形成されているものがある。すなわち、上記塗布具では、塗布軸と塗布ブラシとは、その軸線方向が一致するように保持されているものである（特許文献１参照）。
【０００３】
そのため、例えば液体化粧料収納容器を構成する容器本体内に該塗布ブラシを収容し、又容器本体内から該塗布ブラシを取り出すにあたっては、該塗布ブラシを容器本体に対して直線的に挿脱するだけで円滑、且つ容易に行うことができるものである。
【０００４】
しかしながら、塗布軸と塗布ブラシとの軸線方向が一致するように保持されていると、放射状に生えている睫毛に対してマスカラを塗布する場合には、睫毛の生えている方向に合わせて持ち手を少しずつ動かすことで、塗布ブラシの角度を少しずつ変えながら何回も塗布しなけらばならないので非常に煩雑な作業となるものである。その上、塗布ブラシの角度を誤ると塗布軸が瞼や頬に接触してしまい、肌を汚損するおそれがある。
さらに、上記マスカラの塗布作業は利き手側では正確に行い易いものであるが、利き手ではない側では鼻が邪魔になってしまい、正確にマスカラの塗布を行えないものである。
また、睫毛をカールさせるにあたっては、塗布ブラシで睫毛を持ち上げるようにするが、塗布ブラシが塗布軸の先端に保持されていると、持ち手の微妙な震えが塗布ブラシに伝達して大きくなり、正確に睫毛を持ち上げることができなくなるおそれがある。
【０００５】
さらに、睫毛においてより広範囲の部分に対して一度に塗布することができるように塗布ブラシを軸線方向に湾曲させると、液体化粧料収納容器を構成する収納筒内に収納し難くなるものとなる。
【先行技術文献】
【特許文献】
【０００６】
【特許文献１】特開２００１−８７２９号公報
【発明の概要】
【発明が解決しようとする課題】
【０００７】
発明が解決しようとする課題は、化粧用部材の収納性を確保しつつ、簡易且つ正確に化粧料を塗布し、又は睫毛を梳かすことができない点である。
【課題を解決するための手段】
【０００８】
第１の特徴として、
収納部と、該収納部より突出、収納自在となる進退軸と、該収納部先端に形成される保持部と、化粧用部材とから構成され、
該収納部では、進退軸を内外へ突出、収納自在とする進退機構を内装し、
該進退軸では、その先端を折曲自在とし、
該保持部では、その先端を折曲自在とし、
該進退軸先端と、保持部先端とで化粧用部材を保持してなるものであり、
また、第２の特徴として、
収納部と、該収納部に固持される中空の固持軸と、該固持軸より突出、収納自在となる進退軸と、該固持軸先端に形成される保持部と、化粧用部材とから構成され、
該収納部では、後述する進退軸を中空の固持軸内外へ突出、収納自在とする進退機構を内装し、
該進退軸では、その先端を折曲自在とし、
該保持部では、その先端を折曲自在とし、
該進退軸先端と、固持軸の保持部先端とで化粧用部材を保持してなるものである。
【０００９】
そのため、収納部に内装される進退機構を操作することで、収納部又は該収納部に固持される固持軸内の進退軸は前進又は後退して収納部又は固持軸内外へ突出、収納自在となるものである。
すなわち、該進退機構により進退軸が前進すると、該進退軸は収納部又は固持軸外へ突出するものである。
ここで、該進退軸の先端と、収納部又は固持軸に形成される保持部先端とで化粧用部材を保持しているので、進退軸と保持部とは化粧用部材を介して一体に連結されて連動するようになるが、保持部自身は収納部又は固持軸軸線方向へは延伸することはないものである。
そのため、進退軸は、その先端を内側に折曲しながら収納部又は固持軸外へ湾曲しつつ突出するとともに、収納部又は固持軸に形成される保持部は、その根元を外側に折曲し、さらに該保持部先端は外側へ折曲するものとなる。
すなわち、進退軸先端と、収納部又は固持軸に形成される保持部先端とで保持される化粧用部材は、収納部又は固持軸の軸線方向に対する位置関係を徐々に変化させ、且つその状態で留めることができるようになるものである。すなわち、進退軸の突出量を調整することで、当初収納部又は固持軸の軸線方向に沿って位置している化粧用部材は最終的に収納部又は固持軸の軸線方向に対して直交する位置にまで無段階に調整され、しかもその位置関係を保持しながら化粧用部材を留めることができるものである。
その結果、容器本体内へ円滑、且つ容易に収納することができるとともに、化粧用部材を使用部分及び作業用途に合わせて最適な位置関係に調整して、簡易且つ正確に化粧料を塗布し、又は睫毛を梳かすことができるものである。
【００１０】
また、該進退機構を操作することで進退軸を後退させると、該進退軸は収納部又は固持軸内へ収納されるものである。
そして、上述のように進退軸と保持部とは化粧用部材を介して一体に連結されて連動するようになっているので、進退軸は、その先端を外側へ折曲しながら収納部又は固持軸内へ収納されるとともに、収納部又は固持軸に形成される保持部根元及び該保持部先端は内側へ折曲するものとなる。
その結果、化粧用部材を保持部において収納部又は固持軸の軸線方向に沿って直線的に位置するように保持することができるものである。
【００１１】
そして、第１又は第２の特徴を踏まえて、第３の特徴として、
上記保持部と進退軸とで保持される化粧用部材を、インサート成形により予め保持部及び進退軸とともに一体化させ、
また、第４の特徴として、
上記保持部と、進退軸と、及び該保持部と進退軸とで保持される化粧用部材とを一体成形するものである。
【００１２】
そのため、部品点数を低減することができる。その結果、製造工程での作業効率を高め、製品コストの削減を図ることができるものである。特に、保持部と、進退軸と、該保持部と進退軸とで保持される化粧用部品とを一体成形すると、一層の部品点数の低減によって、運搬、保存が容易となり、製造工程での作業効率をより高めるものであるので、製品コストの著しい削減を図ることができるものである。
【００１３】
さらに、第１又は第２の特徴を踏まえて、第５の特徴として、
上記化粧用部材を、別体の保持部及び進退軸とで回転自在となる軸着部を介して保持するものである。
【００１４】
そのため、進退軸の前進又は後退に合わせて、保持部先端及び進退軸先端は軸着部を中心に円滑、且つ確実に回転するものとなる。その結果、化粧用部材は収納部又は固持軸の軸線方向に対する位置関係を正確に調整することができるものとなる。
【００１５】
そして、第１、第２、第３又は第４の特徴を踏まえて、第６の特徴として、
上記収納部又は固持軸先端に形成される保持部根元、保持部先端、及び進退軸先端に切り欠きを配設してなるものである。
【００１６】
そのため、上記収納部又は固持軸先端に形成される保持部根元、保持部先端、及び進退軸先端の一部が配設する切り欠きにより薄肉化されるので容易に変形し易くなるものである。従って、進退機構を操作して進退軸が前進又は後退する際に、保持部根元、保持部先端、及び進退軸先端の切り欠きにおいて負荷が加わり又は負荷が抜けると、該保持部根元、保持部先端、及び進退軸先端で容易に折曲するものである。
その結果、僅かな操作力により化粧用部材の収納部又は固持軸の軸線方向に対する位置関係を簡易、且つ正確に、しかも迅速に調整することができるものである。
【００１７】
なお、第１、第２、第３、第４、第５又は第６の特徴を踏まえて、第７の特徴として、
上記化粧用部材を、ブラシ体、ローラー体又は櫛体とするものである。
【００１８】
すなわち、化粧用部材であるブラシ体としては、例えば繊維を挟持した芯線を巻回することで形成される螺旋状であって、円筒のブラシ体等であり、ローラー体としては、柔軟で且つ多孔質のスポンジからなるローラー体等であり、さらに櫛体としては、複数の櫛歯を並設してなる櫛体等がある。
【００１９】
そのため、多くの使用部分について、上記化粧用部材を各々対応させるものである。その結果、化粧料の塗布や睫毛を梳かす作業を簡易且つ正確に行うことができるものである。
【発明の効果】
【００２０】
本願発明は、進退軸先端と保持部先端とによって保持される化粧用部材を収納部又は固持軸の軸線方向に対する位置関係を無段階に調整し、しかもその位置で留めるものであるので、容器本体内へ円滑、且つ容易に収納することができるとともに、化粧用部材を作業用途に合わせて最適な位置に調整して、簡易且つ正確に作業を行うことができる優れた効果を有するものである。
【図面の簡単な説明】
【００２１】
【図１】図１は、本願発明の実施例１である化粧用用具の一つである化粧料容器の縦断面図である。
【図２】図２は、本願発明の実施例１である化粧用用具の一つである化粧料容器を構成するキャップに固持される固持軸、ブラシ体、進退軸の縦断面図である。
【図３】図３（イ）乃至（ハ）は、本願発明の実施例１である化粧用用具の一つである化粧料容器を構成するキャップにおける進退機構の作動状況に応じた縦断面図である。
【図４】図４（イ）は、進退機構作動前の本願発明の実施例２である化粧用用具の一つである化粧料容器を構成するキャップの縦断面図であり、（ロ）は、進退機構作動後の本願発明の実施例２である化粧用用具の一つである化粧料容器を構成するキャップの縦断面図である。
【図５】図５は、本願発明の実施例２である化粧料容器を構成するキャップに固持される固持軸、ブラシ体、進退軸の縦断面図である。
【図６】図６（イ）は、進退機構作動前の本願発明の実施例３である化粧用用具の一つである化粧料容器を構成するキャップの正面図であり、（ロ）は、進退機構作動後の本願発明の実施例３である化粧用用具の一つである化粧料容器を構成するキャップの正面図である。
【図７】図７（イ）は、進退機構作動前の本願発明の実施例４である化粧用用具の一つである化粧用ブラシの正面図であり、（ロ）は、進退機構作動後の本願発明の実施例４である化粧用用具の一つである化粧用ブラシの正面図である。
【発明を実施するための形態】
【００２２】
化粧用部材の収納性を確保しつつ、化粧料の塗布や睫毛を梳かす等の作業を簡易且つ正確に行えるように、化粧料部材の収納部又は固持軸の軸線方向に対する位置関係を無段階に調整し、さらにその位置で留まることができるようにすることで実現した。
【実施例１】
【００２３】
図１において示すのは、本願発明の化粧用部材の可動機構を具える実施例１の化粧料容器１である。該化粧料容器１は、化粧料容器本体２と、本願発明の収納部に相当するキャップ７とから構成されるものである。
ここで、該化粧料容器本体２は、その内部にマスカラ３を貯留するとともに、その開口部４では、後述するキャップ７に一体に固持される固持軸１０及び該固持軸１０先端に形成される保持部１１において保持されるマスカラ３を塗布する化粧用部材の一つである円筒のブラシ体１４に密着して、それらの表面に過剰に付着したマスカラ３を拭去するシゴキ５を内装し、その外周面には雄ネジ部６を螺設してなるものである。
また、該キャップ７は、開口部８の内周面に前記雄ネジ部６と螺合する雌ネジ部９を螺設するものであって、巻回した芯線によって挟持された繊維を螺旋状とする円筒のブラシ体１４を保持してなる保持部１１を先端に形成し、その先端が開口する貫通孔１０ｂを内部に有してなる固持軸１０を根元部１０ａをもって固持するとともに、該固持軸１０内の貫通孔１０ｂ内において該固持軸１０軸線方向に沿って進退軸１３を進退自在に挿通させてなる進退機構１２を内装してなるものである。
【００２４】
そして、キャップ７内に内装される前記進退機構１２は、キャップ７に溝設されたスライド溝１２ａにおいてキャップ７の軸線方向へスライド自在となるスライドボタン１２ｂ、固持軸１０の根元部１０ａ内においてスライドボタン１２ａと一体となって摺動可能となるスライド駒１２ｃ、及び該スライド駒１２ｃに一体に取り付けられ、折曲自在となるその先端においてブラシ体１４を保持してなる進退軸１３とから構成されるものである。
その結果、上記スライドボタン１２ｂを前方又は後方へスライドさせることで、該スライドボタン１２ｂと一体となるスライド駒１２ｃが固持軸１０内を前方又は後方へ摺動することから、該摺動するスライド駒１２ｃに一体に取り付けられた進退軸１３は固持軸１０の貫通孔１０ｂ内を前進又は後退するものとなる。
【００２５】
その上で、前記ブラシ体１４は、進退軸１３先端と、固持軸１０に形成される保持部１１先端とでインサート成形により一体に保持されているので、進退軸１３と固持軸１０の保持部１１とは連結して互いに連動するようになっているものである。
【００２６】
さらに、上記固持軸１０先端に形成される保持部１１根元、該保持部１１先端、及び進退軸１３先端において、各々切り欠き１５ａ、１５ｂ、１５ｃが配設されているものである。
その結果、該切り欠き１５ａ、１５ｂ、１５ｃに対して負荷が加わったり、又は抜けたりすると、各所に配設される切り欠き１５ａ、１５ｂ、１５ｃでは薄肉となっているので容易に折曲するものとなる。
【００２７】
本願発明の化粧用部材の可動機構を具える実施例１の化粧料容器１は以上のように構成されるのでマスカラ３を塗布するにあたっては次のようになるものである（図３参照）。
すなわち、化粧料容器本体２からキャップ７を引き抜くと、該キャップ７において固持される固持軸１０に形成される保持部１１先端と、固持軸１０内の貫通孔１０ｂに挿通される進退軸１３先端とで保持されるブラシ体１４は該固持軸１０の軸線方向に沿って直線状に保持されているものである〔同図（イ）参照〕。
そして、上記固持軸１０の軸線方向に沿って直線状に保持されているブラシ体１４の位置を調整するために、キャップ７のスライドボタン１２ｂを固持軸１０の軸線方向にスライド溝１２ａに沿って前方へスライドさせるものである。
そのため、スライドボタン１２ｂと一体となるスライド駒１２ｃが固持軸１０の根元部１０ａ内を前方へスライドするとともに、該スライド駒１２ｃに一体に取り付けられた進退軸１３が固持軸１０の貫通孔１０ｂ内を前進して突出するものとなる。
ここで、該進退軸１３の先端と、固持軸１０に形成される保持部１１とは、ブラシ体１４を保持することで、進退軸１３と保持部１１とは一体に連結されて連動するようになっているが、保持部１１自身は固持軸１０の軸線方向に延伸することはないものである。
従って、進退軸１３は、その１３先端を内側に折曲させながら固持軸１０外へ湾曲しつつ突出するとともに、固持軸１０に形成される保持部１１根元は外側に折曲し、さらに該保持部１１先端も外側へ折曲するものとなる。
その結果、進退軸１３先端と、固持軸１０に形成される保持部１１先端とで保持されるブラシ体１４は、固持軸１０の軸線方向に対する位置関係を徐々に変化させ、且つその位置で留めておくことができるものとなる。すなわち、進退軸１３の突出量を調整することで、当初固持軸１０の軸線方向に沿って直線状に位置するブラシ体１４は固持軸１０の軸線方向に対して直交する位置まで、該ブラシ体１４を固持軸１０の軸線方向に対する位置関係を無段階に調整できるとともに、その位置で留めておくことができるものである〔同図（ロ）、（ハ）参照〕。
従って、キャップ７において固持軸１０に保持されるブラシ体１４を最適な位置に調整した上で、マスカラ３の塗布作業を簡易且つ正確に行うことができるものである。
【００２８】
また、キャップ７に固持される固持軸１０の保持部１１に保持されたブラシ体１４を収納するにあたっては以下のようにするものである。すなわち、進退機構１２であるキャップ７のスライドボタン１２ｂをスライド溝１２ａに沿って後方へスライドさせると、該スライドボタン１２ｂと一体となるスライド駒１２ｃが固持軸１０の根元部１０ａ内を後方へ向かってスライドして、固持軸１０の根元部１０ａ内を摺動するスライド駒１２ｃに一体に取り付けられる進退軸１３は固持軸１０の貫通孔１０ｂ内を後退するものである。
そこで、該進退軸１３は、該進退軸１３先端で外側へ折曲しながら固持軸１０内へ収納されるとともに、固持軸１０に形成される保持部１１根元及び該保持部１１先端では内側へ折曲するものとなる。
その結果、ブラシ体１４は当初のように固持軸１０の軸線方向に沿って直線状に位置させることができるものである。
従って、該ブラシ体１４及び固持軸１０は略直線状となっているので、化粧料容器本体２内に円滑、且つ容易に収納することができるものである。
【００２９】
なお、上記固持軸１０に形成される保持部１１根元、該保持部１１先端、及び進退軸１３先端において、切り欠き１５ａ、１５ｂ、１５ｃを配設してなるものである。その結果、進退機構１２を操作して進退軸１３が前進又は後退する際に、各所に配設される切り欠き１５ａ、１５ｂ、１５ｃに対して負荷が加わり又は負荷が抜けると、該切り欠きによって容易に折曲するものとなる。その結果、僅かな操作力によりブラシ体１４の位置を簡易、且つ正確に、しかも迅速に調整することができるものである。
【実施例２】
【００３０】
図４において示すのは、本願発明の化粧用部材の可動機構を具える実施例２の化粧料容器を構成するキャップ７である。そして、該キャップ７は、マスカラを貯留する化粧料容器本体（図示せず、以下同じ）に対して脱着自在となる他に、キャップ７内において内装する進退機構等が実施例１であるキャップ７と主たる構成を共通にするものである。
【００３１】
しかしながら、本願発明の実施例２の化粧料容器を構成するキャップ７において、図５に示すように、該キャップ７内に固持される固持軸１０’、該固持軸１０’に形成される保持部１１’及び化粧用部材に相当する櫛体１６、及び進退軸１３’が一体成形されている点で、化粧用部材に相当するブラシ体１４がインサート成形により進退軸１３先端及び保持部１１先端で一体に保持されて各々別体となる実施例１とは相違するものである（図５参照）。
なお、本願発明の実施例２のキャップ７においては、化粧用部材に相当するものが櫛体１６である点でも、化粧用部材に相当するものがブラシ体１４である実施例１のキャップ７とは相違するものである。
【００３２】
本願発明の化粧用部材の可動機構を具える実施例２の化粧料容器（図示せず。）は以上のように構成されるのでマスカラを塗布するにあたっては、次のようになるものである（図４参照）。
すなわち、化粧料容器本体２からキャップ７を引き抜くと、該キャップ７において固持される固持軸１０’先端に形成される保持部１１’先端と、固持軸１０’内の貫通孔１０ｂ’に挿通される進退軸１３’先端とで保持される櫛体１６は該固持軸１０’軸線方向に沿って直線状に保持されているものである〔同図（イ）参照〕。
そのため、キャップ７のスライドボタン１２ｂを固持軸１０’軸線方向にスライド溝１２ａに沿って前方へスライドさせると、該スライドボタン１２ｂと一体となるスライド駒１２ｃは固持軸１０’の根元部１０ａ’内を前方へスライドするので、該スライド駒１２ｃに一体に取り付けられた進退軸１３’は固持軸１０’の貫通孔１０ｂ’内を前進して突出するものとなる。
ここで、該固持軸１０’の保持部１１’、櫛体１６、及び進退軸１３’は一体成形されているので進退軸１３’と保持部１１’とが一体に連結されて連動するようになっているが、保持部１１’自身は固持軸１０’の軸線方向に延伸することはないものである。
従って、進退軸１３’は、その先端を内側に折曲させながら固持軸１０’外へ湾曲しつつ突出するとともに、固持軸１０’に形成される保持部１１’は外側に折曲し、さらに該保持部１１’先端も外側へ折曲するものとなる。
その結果、進退軸１３’先端と、固持軸１０’に形成される保持部１１’とを一体成形する櫛体１６は、固持軸１０’の軸線方向に対する位置関係を徐々に変化させ、且つその位置で留めておくことができるものとなる。すなわち、進退軸１３’の突出量を調整することで、当初固持軸１０’の軸線方向に沿って直線状に位置する櫛体１６は固持軸１０’の軸線方向に対して直交する位置まで、該櫛体１６を固持軸１０’の軸線方向に対する位置関係を無段階に調整し、その位置で留めておくことができるものである。
従って、マスカラを塗布するにあたり、キャップ７において固持軸１０’に保持される櫛体１６を最適な位置に調整した上で、マスカラの塗布作業を、簡易且つ正確に行うことができるものである。
【００３３】
また、キャップ７に固持される固持軸１０’の保持部１１’に保持された櫛体１６を収納するにあたっては以下のようにするものである。
すなわち、キャップ７のスライドボタン１２ｂをスライド溝１２ａに沿って後方へスライドさせると、該スライドボタン１２ｂと一体となるスライド駒１２ｃが固持軸１０’の根元部１０ａ’内を後方へ向かってスライドして、該スライド駒１２ｃ’に一体に取り付けられる進退軸１３’が固持軸１０’の貫通孔１０ｂ’内を後退するものである。
そして、該進退軸１３’は、その先端で外側へ折曲しながら固持軸１０’内へ収納されるとともに、固持軸１０’と一体形成される保持部１１’根元及び該保持部１１’先端では内側へ折曲するものとなる。
その結果、櫛体１６は当初のように固持軸１０’の軸線方向に沿って直線状に位置させることができるものである。
従って、該櫛体１６及び固持軸１０’は略直線状となっているので、化粧料容器本体内に円滑、且つ容易に収納することができるものである。
【００３４】
なお、上記固持軸１０’に形成される保持部１１’根元、該保持部１１’先端、及び進退軸１３’先端において、切り欠き１５ａ、１５ｂ、１５ｃを配設しているので、実施例１と同様に、各所に配設される切り欠き１５ａ、１５ｂ、１５ｃに対する負荷によって容易に折曲するものとなる。その結果、僅かな操作力により櫛体１６の位置を簡易、且つ正確に、しかも迅速に調整することができるものである。
【実施例３】
【００３５】
図６において示すのは、本願発明の化粧用部材の可動機構を具える実施例３の化粧料容器を構成するキャップ７である。そして、該キャップ７は、マスカラを貯留する化粧料容器本体（図示せず、以下同じ）に対して脱着自在となる他に、キャップ７内において内装する進退機構等が実施例１のキャップ７と主たる構成はほとんど共通するものである。
【００３６】
しかしながら、まず、本願発明の実施例３の化粧料容器を構成するキャップ７は、図６に示すように、進退軸１３先端と、キャップ７内に固持される固持軸１０”に形成される保持部１１”とで保持される化粧用部材に相当するローラー体１７が回転自在となる軸着部１８を介して保持されている点で、切り欠き１５ａ、１５ｂ、１５ｃを配して折曲自在となる進退軸１３先端と固持軸１０先端とで化粧用部材に相当するブラシ体１４をインサート成形により一体に保持してなる実施例１とは相違するものである。
なお、本願発明の実施例３のキャップ７においては、ファンデーションを塗布する、化粧用部材に相当するものが柔軟で、かつ多孔質のスポンジからなるローラー体１７である点でも、化粧用部材に相当するものがブラシ体１４である実施例１とは相違するものである。
【００３７】
本願発明の化粧用部材の可動機構を具える実施例３の化粧料容器は以上のように構成されるのでファンデーションを塗布するにあたっては、次のようになるものである（図６参照）。
すなわち、化粧料容器本体からキャップ７を引き抜くと、固持軸１０”内の貫通孔に挿通される進退軸１３先端とキャップ７において固持される固持軸１０”に形成される保持部１１”先端とで保持されるローラー体１７は、該固持軸１０”軸線方向に沿って直線状に保持されているものである〔同図（イ）参照〕。
そして、キャップ７のスライドボタン１２ｂを固持軸１０”軸線方向にスライド溝１２ａに沿って前方へスライドさせると、該スライドボタン１２ｂと一体となるスライド駒は固持軸１０”の根元部内を前方へスライドするので、該スライド駒に一体に取り付けられた進退軸１３は固持軸１０”の貫通孔内を前進して突出するものとなる。
ここで、該ローラー体１７、該ローラー体１７を保持する進退軸１３先端及び固持軸１０”の保持部１１”先端とは、回転自在となる軸着部１８を介して一体に連結されて連動するようになっているが、保持部１１”自身は固持軸１０”の軸線方向に延伸することはないものである。
従って、進退軸１３は、該進退軸１３先端を内側方向へローラー体１７を回転させながら突出するとともに、固持軸１０”に形成される保持部１１”は外側方向へローラー体１７を回転させるものとなる。
その結果、固持軸１０”に形成される保持部１１”と、進退軸１３先端とで保持されるローラー体１７は、軸着部１８を中心に回転しながら固持軸１０”の軸線方向に対する位置関係を徐々に変化させ、且つその位置で留めておくことができるものとなる。すなわち、進退軸１３の突出量を調整することで、当初固持軸１０”の軸線方向に沿って直線状に位置するローラー体１７は固持軸１０”の軸線方向に対して直交する位置まで、該ローラー体１７を固持軸１０”の軸線方向に対する位置関係を無段階に調整できるとともに、その位置で留めておくことができるものである。
したがって、キャップ７において固持軸１０”に保持されるローラー体１７を最適な位置に調整した上で、ファンデーションの塗布作業を簡易且つ正確に行うことができるものである。
【００３８】
また、キャップ７に固持される固持軸１０”の保持部に保持されたローラー体１７を化粧料容器本体内に収納するにあたっては以下のようにするものである。
すなわち、キャップ７のスライドボタン１２ｂをスライド溝１２ａに沿って後方へスライドさせると、該スライドボタン１２ｂと一体となるスライド駒が固持軸１０”の根元部内を後方へ向かってスライドして、該スライド駒に一体に取り付けられる進退軸１３が固持軸１０”の貫通孔内を後退するものである。
そして、該進退軸１３は、その先端を外側方向へローラー体１７を回転させながら固持軸１０”内へ収納されるとともに、固持軸１０”に形成される保持部１１”先端ではローラー体１７を内側方向へ回転させるものである。
その結果、ローラー体１７は当初のように固持軸１０”の軸線方向に沿って直線状に位置させることができるものである。
従って、該ローラー体１７及び固持軸１０”は略直線状となっているので、化粧料容器本体内に円滑、且つ容易に収納することができるものである。
【実施例４】
【００３９】
図７において示すのは、本願発明の化粧用部材の可動機構を具える実施例４のマスカラ塗布の前後に睫毛を梳かすために使用され、別体のコンパクトケース内に収容されるマスカラブラシ１９である。そして、該マスカラブラシ１９は、収納部に相当する把持部２０において、巻回した芯線によって挟持された繊維を放射状とする円筒のブラシ体１４’を保持する保持部１１”’を先端に形成するとともに、その内部に進退軸１３”を進退自在とする進退機構１２’を内装してなるものである。
【００４０】
そして、把持部２０内に内装される進退機構１２’は、該把持部２０に溝設されたスライド溝１２ａ’において把持部２０の軸線方向へスライド自在となるスライドボタン１２ｂ’、把持部２０内においてスライドボタン１２ｂ’と一体となって摺動可能となるスライド駒、及び該スライド駒に一体に取り付けられ、折曲自在となるその先端においてブラシ体１４’を保持してなる進退軸１３”とから構成されるものである。
その結果、上記スライドボタン１２ｂ’を前方又は後方へスライドさせることで、該スライドボタン１２ｂ’と一体となるスライド駒が把持部２０内を前方又は後方へ摺動することから、該摺動するスライド駒に一体に取り付けられた進退軸１３’は把持部２０より突出し、又は収納されるものとなる。
【００４１】
その上で、前記ブラシ体１４’は、進退軸１３’先端と、把持部２０に形成される保持部１１”’先端とで一体に保持されているので、進退軸１３’と把持部２０に成形される保持部１１”’とは該ブラシ体１４’を介して一体に連結して互いに連動するようになっているものである。
【００４２】
さらに、上記把持部２０先端に形成される保持部１１”’根元、該保持部１１”’先端、及び進退軸１３’先端において、各々切り欠き１５ａ、１５ｂ、１５ｃが配設されているものである。
その結果、該切り欠き１５ａ、１５ｂ、１５ｃに対して負荷が加わったり、又は抜けたりすると、各所に配設される切り欠き１５ａ、１５ｂ、１５ｃでは薄肉となっているので容易に折曲するものとなる。
【００４３】
本願発明の化粧用部材の可動機構を具える実施例４のマスカラブラシ１９は以上のように構成されるので睫毛を梳かすにあたっては次のようになるものである（図７参照）。
すなわち、コンパクトケースより取り出した当初のマスカラブラシ１９においては、進退軸１３’先端と、該把持部２０の先端に形成される保持部１１”’先端とで保持されるブラシ体１４’は該把持部１１”’の軸線方向に沿って直線状に保持されているものである〔同図（イ）参照〕。
そして、上記把持部２０の軸線方向に沿って直線状に保持されているブラシ体１４’の位置関係を調整するために、把持部２０のスライドボタン１２ｂ’を把持部２０の軸線方向にスライド溝１２ａ’に沿って前方へスライドさせるものである。
そのため、スライドボタン１２ｂ’と一体となるスライド駒が把持部２０内を前方へスライドするとともに、該スライド駒に一体に取り付けられた進退軸１３’が把持部２０内を前進して突出するものとなる。
ここで、該進退軸１３’の先端と、把持部２０に形成される保持部１１”’先端とは、ブラシ体１４’を一体に保持することで、進退軸１３’と保持部１１”’とが一体に連結されて連動するようになっているが、保持部１１”’自身は把持部２０の軸線方向に延伸することはないものである。
従って、進退軸１３’は、該進退軸１３’先端を内側に折曲させながら把持部２０外へ湾曲しつつ突出するとともに、保持部１１”’根元は外側に折曲し、さらに該保持部１１”’先端も外側へ折曲するものとなる。
その結果、進退軸１３’先端と、保持部１１”’先端とで保持されるブラシ体１４’は、把持部２０の軸線方向に対する位置関係を徐々に変化させ、且つその位置で留めておくことができるものとなる。すなわち、進退軸１３’の突出量を調整することで、当初把持部２０の軸線方向に沿って直線状に位置するブラシ体１４’は把持部２０の軸線方向に対して直交する位置まで、該ブラシ体１４’を把持部２０の軸線方向に対する位置関係を無段階に調整することができるとともに、その位置で留めておくことができるものである。
したがって、把持部２０に保持されるブラシ体１４’を最適な位置に調整した上で、睫毛を梳かす作業を簡易且つ正確に行うことができるものである。
【００４４】
また、把持部２０の保持部１１”’に保持されたブラシ体１４’をコンパクトケース内に収納するにあたっては以下のようにするものである。すなわち、進退機構である把持部２０のスライドボタン１２ｂ’をスライド溝１２ａ’に沿って後方へスライドさせると、該スライドボタン１２ｂ’と一体となるスライド駒が把持部内を後方へ向かってスライドして、該スライド駒に一体に取り付けられる進退軸１３’は把持部２０内を後退するものである。
そして、該進退軸１３’は、その先端で外側へ折曲しながら把持部２０内へ収納されるとともに、把持部２０に形成される保持部１１”’及び該保持部１１”’先端では内側へ折曲するものとなる。
その結果、ブラシ体１４’は当初のように把持部２０の軸線方向に沿って直線状に位置させることができるものである。
従って、該把持部２０、保持部１１”’及びブラシ体１４’は略直線状となっているので、コンパクトケース内に円滑、且つ容易に収納することができるものである。
【００４５】
なお、上記把持部２０に形成される保持部１１”’根元、該保持部１１”’先端、及び進退軸１３’先端において、切り欠き１５ａ、１５ｂ、１５ｃを配設しているので、実施例１と同様に、各所に配設される切り欠き１５ａ、１５ｂ、１５ｃに対する負荷によって容易に折曲するものとなる。その結果、僅かな操作力によりブラシ体１４’の位置を簡易、且つ正確に、しかも迅速に調整することができるものである。
【産業上の利用可能性】
【００４６】
本願発明の化粧用部材の可動機構は、該化粧用部材の収納性を確保しつつ、その位置関係を無段階に調整することができるものであるので、部分的な塗布を必要とする染毛剤の容器にも適用することができる。
【符号の説明】
【００４７】
１    化粧料容器
２    化粧料容器本体
３    マスカラ
４    開口部
５    シゴキ
６    雄ネジ部
７    キャップ
８    開口部
９    雌ネジ部
１０、１０’    固持軸
１０ａ、１０ａ’    根元部
１０ｂ、１０ｂ’    貫通孔
１１、１１’、１１”、１１”’    保持部
１２、１２’    進退機構
１２ａ、１２ａ’    スライド溝
１２ｂ、１２ｂ’    スライドボタン
１２ｃ    スライド駒
１３、１３’    進退軸
１４、１４’    ブラシ体
１５ａ、１５ｂ、１５ｃ    切り欠き
１６    櫛体
１７    ローラー体
１８    軸着部
１９    マスカラブラシ
２０    把持部
【図１】
2013081661.tif 000003
【図２】
2013081661.tif 000004
【図３】
2013081661.tif 000005
【図４】
2013081661.tif 000006
【図５】
2013081661.tif 000007
【図６】
2013081661.tif 000008
【図７】
2013081661.tif 000009